(57)【要約】【課題】フィルターで捕集した異物を捕集容器に蓄積することにより、異物が気液分離器内を再循環することを防止し、フィルターの閉塞を防止する機能を有した気液分離器を提供すること。【解決手段】圧縮機に連通する配管１２と、前記配管１２に連通して設けられ、前記圧縮機に前記配管１２を介して冷凍機油を戻す第１開口部１４と、前記第１開口部１４を覆い異物を捕集する第１フィルター１５とを備え、前記第１フィルター１５の異物捕集面の下方に、異物捕集部１７を設けたことを特徴とするもので、第１フィルター１５で捕集した異物は、運転停止時に下方に剥がれ落ち、異物捕集部１７にその異物を蓄積することができるため、異物の再循環を防止することができ、第１フィルター１５の閉塞を防止することができる。【選択図】図３
2011099570.tif 000002
【特許請求の範囲】
【請求項１】
圧縮機に連通する配管と、前記配管に連通して設けられ、前記圧縮機に前記配管を介して冷凍機油を戻す第１開口部と、前記第１開口部を覆い異物を捕集する第１フィルターとを備え、前記第１フィルターの異物捕集面の下方に、異物捕集部を設けたことを特徴とする冷凍サイクル用気液分離器。
【請求項２】
異物捕集部は、底部に第２フィルターと、前記第２フィルターの上方に設けられ、第１フィルターと連通する第２の開口部と、前記第２開口部の周囲の少なくとも一部に設けられ、前記第２開口部側に傾斜した傾斜部とから構成されることを特徴とする請求項１に記載の冷凍サイクル用気液分離器。
【請求項３】
第２開口部を、異物捕集部の略中央に配設することを特徴とする請求項２に記載の冷凍サイクル用気液分離器。
【請求項４】
請求項１〜３のいずれか１項に記載の冷凍サイクル用気液分離器を搭載した冷凍サイクル装置。
【発明の詳細な説明】
【技術分野】
【０００１】
本発明は、冷凍サイクルにおける異物捕集機能を有する気液分離器に関するものである。
【背景技術】
【０００２】
従来、この種の気液分離器は、冷凍機油を戻す開口部（冷凍機油戻し穴）を覆うようにフィルターを有している（例えば、特許文献１参照）。
【０００３】
図４は、上記特許文献１に記載された従来の気液分離器を示すものであり、図５は、気液分離器の冷凍機油を戻す開口部とそれを覆うフィルター部を示すものである。図５に示すように、冷凍機油戻し部は、冷凍機油戻し穴とそれを覆う半球状のフィルターから構成されている。
【先行技術文献】
【特許文献】
【０００４】
【特許文献１】特開平１１−１１５４７０号公報
【発明の概要】
【発明が解決しようとする課題】
【０００５】
しかしながら、従来の構成では、気液分離器内に流入した異物が多量の場合、フィルター表面を閉塞してしまう。運転が停止すると、フィルター表面から異物が剥がれ落ちるが、運転を再開すると再びフィルター表面を閉塞し、これを繰り返す。このように気液分離器内に多量の異物が流入した場合、運転中は常時、フィルター表面が閉塞され冷凍機油を戻す開口部への液冷媒や冷凍機油の供給を阻害してしまうという課題を有していた。
【０００６】
本発明は、前記従来の課題を解決するもので、フィルターで捕集した異物を捕集容器に蓄積することにより、異物が気液分離器内を再循環することを防止し、フィルターの閉塞を防止する機能を有した気液分離器を提供することを目的とする。
【課題を解決するための手段】
【０００７】
従来の課題を解決するために、本発明の気液分離器は、圧縮機に連通する配管と、前記配管に連通して設けられ、前記圧縮機に前記配管を介して冷凍機油を戻す第１開口部と、前記第１開口部を覆い異物を捕集する第１フィルターとを備え、前記第１フィルターの異物捕集面の下方に、異物捕集部を設けたことを特徴とするもので、第１フィルターで捕集した異物は、運転停止時に下方に剥がれ落ち、異物捕集部にその異物を蓄積することができるため、異物の再循環を防止することができ、第１フィルターの閉塞を防止することができる。
【発明の効果】
【０００８】
本発明によれば、フィルターで捕集した異物を捕集容器に蓄積することにより、異物が気液分離器内を再循環することを防止し、フィルターの閉塞を防止する機能を有した気液分離器を提供できる。
【図面の簡単な説明】
【０００９】
【図１】本発明の実施の形態１における冷凍サイクル用気液分離器の側断面図
【図２】同出口管Ｕ字部の斜視図
【図３】図１のＡ−Ａ断面図
【図４】従来の気液分離器の側断面図
【図５】同気液分離器の冷凍機油戻し部の拡大図
【発明を実施するための形態】
【００１０】
第１の発明は、圧縮機に連通する配管と、前記配管に連通して設けられ、前記圧縮機に前記配管を介して冷凍機油を戻す第１開口部と、前記第１開口部を覆い異物を捕集する第１フィルターとを備え、前記第１フィルターの異物捕集面の下方に、異物捕集部を設けたことを特徴とするもので、第１フィルターで捕集した異物は、運転停止時に下方に剥がれ落ち、異物捕集部にその異物を蓄積することができるため、異物の再循環を防止することができ、第１フィルターの閉塞を防止することができる。
【００１１】
第２の発明は、異物捕集部は、底部に第２フィルターと、前記第２フィルターの上方に設けられ、第１フィルターと連通する第２の開口部と、前記第２開口部の周囲の少なくとも一部に設けられ、前記第２開口部側に傾斜した傾斜部とから構成されることを特徴とするもので、異物捕集部に蓄積された異物の再流出を確実に防止し、短時間で異物を捕集することができ、運転再開後、早期に第１フィルターの閉塞を防止することができる。
【００１２】
第３の発明は、第２開口部を、異物捕集部の略中央に配設することを特徴とするもので、異物捕集部に片寄りなく均一に、異物を蓄積することができ、同等容積の異物捕集部より多くの異物を捕集することができるため、異物捕集部を小型化でき低コストで、第１フィルターの閉塞を防止することができる。
【００１３】
第４の発明は、第１〜３のいずれかの発明を搭載した冷凍サイクル装置で、多量の異物が冷凍サイクル内に混入し、気液分離器内に流入した場合でも、異物を異物捕集部に蓄積でき、第１フィルターの閉塞を防止することができるため、第１開口部からの冷凍機油の返油を阻害することがなく、圧縮機の信頼性を向上することができる。
【００１４】
以下、本発明の実施の形態について、図面を参照しながら説明する。なお、この実施の形態によって、本発明が限定されるものではない。
【００１５】
（実施の形態）
図１は、本発明の実施の形態における、冷凍サイクル用気液分離器の構造の一実施形態を示す断面図、図２は、出口管のＵ字部の斜視図、図３は、図１のＡ−Ａ断面図を示すものである。
【００１６】
図１において、気液分離器本体１０は、入口管１１と出口管１２を備え、出口管１２は、気液分離器本体１０内部でＵ字形状を形成している。
【００１７】
図２に示すように、出口管１２のＵ字部底部側面には、水平方向にフィルター本体１３が設置されている。
【００１８】
図３に示すように、フィルター本体１３は、出口管１２のＵ字部底部側面に設けられた第１開口部１４を覆うように設置されている。フィルター本体１３は、第１開口部１４の前方に位置する第１フィルター１５と、第１フィルター１５の異物捕集面の下方に配設された第２開口部１６を介して連通する異物捕集部１７から構成される。
【００１９】
第２開口部の一部は、第１フィルター側に傾斜し、異物捕集部に捕集された異物は、第２開口部から流出しにくい形状となっている。また、異物捕集部１７の底部は、第２フィルター１８で構成され、異物捕集部１７の内部には冷凍機油が溜まり込まない構造となっている。
【００２０】
以上のように構成された気液分離器について、以下その動作、作用を説明する。
【００２１】
まず、入口管１１を通じて気液二相冷媒と冷凍機油が気液分離器本体１０に流入する。流入した気液二相冷媒と冷凍機油のうち、気相冷媒は、出口管１２の上端開口部より吸い込まれ気液分離器本体１０から流出される。また、液冷媒と冷凍機油は、気液分離器本体１０の底部に溜り、出口管１２のＵ字部底部側面に設けられた第１開口部１４を通じて出口管１２から流出される。
【００２２】
この時、冷媒配管工事時などに混入した異物や配管溶接作業時に生成されたスラッジなどが冷媒や冷凍機油とともに気液分離器本体１０内に流入する。流入した異物は、液冷媒や冷凍機油とともに気液分離器本体１０の底部に蓄積され、その後、蓄積された異物は、第１開口部１４に向かって液冷媒と冷凍機油とともに流れ込むが、第１フィルター１５の異物捕集面により捕集され、液冷媒と冷凍機油のみが、第１開口部１４に流入することになる。
【００２３】
多量の異物が流入した場合、第１フィルター１５により捕集された異物は、徐々に、第１フィルター１５の表面を閉塞し、第１開口部１４への液冷媒および冷凍機油の流入を阻害し、気液分離器本体１０内に液冷媒と冷凍機油が溜まり込んでしまう状態となり、冷凍サイクルを循環する冷媒不足および圧縮機への冷凍機油戻り不足となり、圧縮機の潤滑不足による破損の原因となる。
【００２４】
第１フィルター１５で捕集された異物は、冷凍サイクルの運転が停止した場合、その異物捕集面の表面から剥がれ落ち、第２開口部１６を通じて異物捕集部１７内に蓄積される。この時、異物捕集部１７の底部は、第２フィルター１８で構成されているため、運転停止時に液冷媒が蒸発すると気液分離器本体１０の底部は冷凍機油のみとなり、運転中に比べ、その液面高さは低下するため、第２フィルター１８上には、異物のみが蓄積されることになる。
【００２５】
異物捕集部１７内に捕集された異物は、運転が再開されても、第２開口部１６は、第１フィルター１５の開口面積に比べ小さいため、第２フィルター１８の下方から第２開口部１６を通じて第１フィルター１５に向かう流れは殆どなく、また、その形状が、第１フィルター１３側に傾斜した傾斜部で形成れているため、再び、異物捕集部１７から流出することはない。
【００２６】
従って、冷凍サイクルの運転および停止を繰り返すたびに気液分離器本体１０に流入した異物は、異物捕集部１７内に蓄積されていくことになる。
【００２７】
これにより、多量の異物が、気液分離器本体１０内に流入した場合でも、異物捕集部１７に確実に捕集することができるため、第１フィルター１５の異物による閉塞を確実に防止することができ、気液分離器本体１０内への液冷媒や冷凍機油の溜まり込みを防止することができ、冷凍サイクルにおける圧縮機の信頼性を向上することができる。
【産業上の利用可能性】
【００２８】
以上のように、本発明にかかる冷凍サイクル用気液分離器は、冷凍サイクル内に混入した異物を確実に捕集し、フィルターの閉塞を防止することが可能となるので、空調機用冷凍サイクル装置の気液分離器のみならず、カーエアコン、ヒートポンプ給湯機等の冷凍サイクル装置にも適用できる。
【符号の説明】
【００２９】
１  気液分離器本体
２  入口管
３  出口管
４  冷凍機油戻し部
５  冷凍機油戻し穴
６  フィルター
１０  気液分離器本体
１１  入口管
１２  出口管
１３  フィルター本体
１４  第１開口部
１５  第１フィルター
１６  第２開口部
１７  異物捕集部
１８  第２フィルター
【図１】
2011099570.tif 000003
【図２】
2011099570.tif 000004
【図３】
2011099570.tif 000005
【図４】
2011099570.tif 000006
【図５】
2011099570.tif 000007